(57)【要約】【課題】別の駆動機構を採用することなく、用紙供給トレイ上に供給される用紙束の先端をストッパに当てて確実に揃えることができるようにし、これによって部品コストの低減化を図る。【解決手段】原稿供給トレイ１７の直下流側に原稿Ｐを原稿読取装置１２内に捌いて給紙する給紙部材３０と、当止によって原稿Ｐの先端を揃えるストッパ４０と備え、給紙部材３０を、ストッパ４０による原稿Ｐの先端揃えに干渉しない退避位置と、原稿Ｐの先端部上面に当接して当該原稿Ｐを原稿読取装置１２内に給紙する給紙位置との間で位置変更可能とし、ストッパ４０は、給紙部材３０との連動により当該給紙部材３０が退避位置に位置設定された状態で原稿Ｐの先端を当止させても動かない用紙当止位置と、給紙部材３０が給紙部材３０により給紙された原稿Ｐを遣り過す用紙遣過し位置との間で位置変更可能に構成される。【選択図】  図１
2004307151.tif 000002
【特許請求の範囲】
【請求項１】
駆動部を回転駆動して給紙部を作動させることにより、用紙トレイ上に載置された用紙をガイド部に沿って１枚ずつ装置本体内に給送する用紙自動送り装置において、前記給紙部は、
両端が装置本体に軸支され、前記駆動部の回転力で回転させられる給紙軸に取り付けられた給紙コロと、前記給紙軸に揺動自在に設けられた支持体と、この支持体に回動自在に設けられた、前記給紙軸と平行な繰出軸に支持され、前記給紙軸の回転力が伝達可能にされたピックアップコロと、前記給紙コロと支持体間に介設され、支持体を前記駆動部の回転動作時に退避位置と給紙位置との間で給紙軸の回動に対して回動可能にするための付勢部材と、前記支持体に支持された、前記給紙軸と平行な支持軸に揺動自在に設けられ、支持体が退避位置に位置設定された状態で垂下して用紙トレイに載置された用紙の先端位置を規制するストッパとを備え、前記装置本体は、退避位置で前記ストッパに係合し、その動きを規制する突起部を備えたことを特徴とする用紙自動送り装置。
【請求項２】
前記ピックアップコロは、前記給紙コロの回転が回転伝達部材を介して伝達され、且つ、支持体が給紙位置に位置した状態で当該ピックアップコロを給紙コロと同期回転させる一方、支持体が給紙位置から退避位置へ位置変更するに際し当該ピックアップコロの逆方向への回転を規制するワンウエイクラッチを有してなる請求項１記載の用紙自動送り装置。
【請求項３】
前記ストッパは、前記支持体における給紙軸および繰出軸間でこれらと平行な支持軸回りに回動自在に軸支され、且つ前記支持軸の位置から下方に延びて用紙供給トレイ上の用紙の先端縁に対向するストッパ片と、同上方に向けて突設された係合片とを備えて構成され、前記突起部は、支持体が退避位置に位置設定された状態で前記係合片との干渉でストッパ片が用紙当止位置に位置設定される一方、支持体が給紙位置に位置設定された状態で前記干渉の解除によりストッパ片が用紙遣過し位置に位置設定されるように形状設定されてなる請求項１または２記載の用紙自動送り装置。
【請求項４】
前記突起部は、前記ストッパ片が用紙遣過し位置に位置設定された状態で給紙位置に位置設定されていた前記支持体が退避位置に位置変更することにより、前記係合片との係合でストッパ片が逆方向に引き出される場合の用紙との干渉を回避する用紙回避位置に位置変更し得るように形状設定されてなる請求項３記載の用紙自動送り装置。
【請求項５】
前記装置本体は、前記支持体を覆う開閉自在のカバー体を有し、前記前記突起部は、カバー体に設けられてなる請求項３または４記載の用紙自動送り装置。
【請求項６】
前記突起部は、用紙搬送方向下流側に第１傾斜面を有するとともに、用紙搬送方向上流側に第２傾斜面を有する逆三角形状に形成され、且つ支持体が退避位置に位置設定された状態で前記係合片が第１傾斜面および第２傾斜面のいずれか一方側に当接し、支持体が給紙位置に位置設定された状態で前記係合片の突起部への当接が解除されるように形状設定および位置設定されてなる請求項３乃至５のいずれかに記載の用紙自動送り装置。
【請求項７】
前記支持体の位置変更は、装置本体に設けられた用紙を装置本体内に引き込む駆動機構の動作と連動されてなる請求項１乃至６のいずれかに記載の用紙自動送り装置。
【発明の詳細な説明】
【０００１】
【発明の属する技術分野】
本発明は、例えば複写機やファクシミリ装置等の画像形成装置に適用される用紙自動送り装置に関するものである。
【０００２】
【従来の技術】
従来、複写機やファクシミリ装置等の画像形成装置に適用される用紙自動送り装置が知られている。この用紙自動送り装置は、積層された用紙の束を載置する用紙供給トレイと、この用紙供給トレイ上の用紙を最上位のものから順次引き取って装置本体内へ給紙する給紙部材とを備えて構成され、給紙部材を通過した用紙に対して原稿画像の読み取り処理が用紙毎に順次施されるようになっている。
【０００３】
用紙供給トレイに載置される用紙束は、通常、その先端が給紙部材の位置に設けられた所定の当て部材（ストッパ）にマニュアル操作によって当てられ、これによって用紙束の先端が揃えられる。ストッパは、用紙供給トレイ上の用紙束に対向固定された対向固定状態と、対向固定が解除されて用紙が通過し得るように揺動する固定解除状態との間で状態変化可能に構成されている。そして、ストッパは、トレイ上の用紙束の先端を揃えるとき対向固定状態に設定される一方、給紙部材の駆動で用紙束から用紙が１枚ずつピックアップされるときには固定解除状態に変更されるようになっている。
【０００４】
【特許文献１】
２００１−３４１８７９号公報
【０００５】
【発明が解決しようとする課題】
ところで、従来のストッパは、前記対向固定状態と固定解除状態との間の状態変更操作を、給紙部材の駆動源とは独立したソレノイド等の別の駆動源によって行うようになされていたため、ストッパの状態変更構造が複雑になり、部品点数が多いことによる部品コストの高騰や、組み付けコストの高騰を招くという不都合が生じていたばかりか、ソレノイド等の駆動と、給紙部材の駆動との間の同期をとる制御を行わなければならず、この面でもコスト高になるという問題点を有していた。
【０００６】
本発明は、上記のような問題点を解消するためになされたものであり、別の駆動源を採用することなく、ストッパを給紙状況に応じて状態変化（位置変化）させ得るようにし、これによって部品コストや組み付けコストの低減化に貢献し得る用紙自動送り装置を提供することを目的としている。
【０００７】
【課題を解決するための手段】
請求項１記載の発明は、駆動部を回転駆動して給紙部を作動させることにより、用紙トレイ上に載置された用紙をガイド部に沿って１枚ずつ装置本体内に給送する用紙自動送り装置において、前記給紙部は、両端が装置本体に軸支され、前記駆動部の回転力で回転させられる給紙軸に取り付けられた給紙コロと、前記給紙軸に揺動自在に設けられた支持体と、この支持体に回動自在に設けられた、前記給紙軸と平行な繰出軸に支持され、前記給紙軸の回転力が伝達可能にされたピックアップコロと、前記給紙コロと支持体間に介設され、支持体を前記駆動部の回転動作時に退避位置と給紙位置との間で給紙軸の回動に対して回動可能にするための付勢部材と、前記支持体に支持された、前記給紙軸と平行な支持軸に揺動自在に設けられ、支持体が退避位置に位置設定された状態で垂下して用紙トレイに載置された用紙の先端位置を規制するストッパとを備え、前記装置本体は、退避位置で前記ストッパに係合し、その動きを規制する突起部を備えたことを特徴とするものである。
【０００８】
この発明において、用紙とは、１枚の用紙および積層された複数枚の用紙（用紙束）のいずれか一方または双方を双方を指すものとする。以下の説明において、必要な場合には、用紙の枚数を特定（例えば１枚の用紙とか、用紙束等）することとする。
【０００９】
この発明によれば、支持体を退避位置に位置設定することにより、ストッパは、支持体と連動して用紙を当止させる位置（用紙当止位置）に固定されるため、用紙供給トレイ上の用紙の先端をストッパに押し当てることにより、当該用紙の先端が揃えられる。そして、用紙の先端が揃えられた状態で、支持体を給紙位置に位置変更すると、この位置変更に連動してストッパが用紙を遣過させ得る位置（用紙遣過し位置）に位置設定されるため、給紙コロを駆動させることにより、用紙は１枚ずつがストッパを順次遣過しながら装置本体内に送り込まれていく。
【００１０】
このように、ストッパは、支持体の位置変更に連動しながら、当該支持体が退避位置に位置設定された状態で用紙の先端を当止させても動かない用紙当止位置に位置設定される一方、支持体が給紙位置に位置設定されることによって給紙コロにより給紙された用紙を遣り過す用紙遣過し位置に位置設定されるため、従来採用されていたような、支持体の位置変更操作と、ストッパの位置変更操作とを異なる駆動源によって行うように構成されていものと比較し、用紙の確実な装置本体内への送り込みを確保した上で、駆動源の共用によってその分部品点数が減少し、部品コストおよび組み付けコストの低減化に貢献する。
【００１１】
また、支持体が退避位置に位置設定されることにより、その繰出軸に軸支されたピックアップコロは、用紙の先端部と干渉しない退避位置に位置設定されているとともに、ストッパは用紙当止位置に位置設定されているため、この状態で用紙の先端をストッパに当止させることにより用紙の先端揃えを行うことができる。
【００１２】
ついで、支持体を支持軸回りに回動操作して給紙位置に位置設定することにより、ピックアップコロは給紙位置に位置変更して用紙の上面に当止した状態になるとともに、ストッパは用紙遣過し位置に位置設定されるため、この状態でピックアップコロおよび給紙コロの双方を給紙軸および支持軸回りに所定方向に回転駆動させることにより、用紙束の最上位にある用紙は、ピックアップコロによって引き取られ、引き続き給紙コロの回転でストッパを遣過しながら装置本体内に供給されることになる。
【００１３】
このように、給紙部を、ストッパとの連動で動作するピックアップコロと給紙コロとを備えて構成することにより、用紙自動送り装置の構造を簡単なものとした上で、用紙の確実な先端揃えと、これに続く用紙の装置本体内に対する１枚ずつの確実な捌き供給処理とが実行される。
【００１４】
請求項２記載の発明は、前記ピックアップコロは、前記給紙コロの回転が回転伝達部材を介して伝達され、且つ、支持体が給紙位置に位置した状態で当該ピックアップコロを給紙コロと同期回転させる一方、支持体が給紙位置から退避位置へ位置変更するに際し当該ピックアップコロの逆方向への回転を規制するワンウエイクラッチを有してなることを特徴とするものである。
【００１５】
この発明によれば、給紙コロは、回転伝達部材を介してピックアップコロと同期回転するため、用紙のピックアップおよび給紙が円滑に行われる。また、支持体が給紙位置から退避位置に位置変更するに際し、ピックアップコロは、ワンウエイクラッチの作用で逆回転することがないため、用紙に逆方向に向かう力が加わることはなく、これによっても給紙が円滑に行われる。
【００１６】
請求項３記載の発明は、請求項１または２記載の発明において、前記支持体における給紙軸および繰出軸間でこれらと平行な支持軸回りに回動自在に軸支され、且つ前記支持軸の位置から下方に延びて用紙供給トレイ上の用紙の先端縁に対向するストッパ片と、同上方に向けて突設された係合片とを備えて構成され、前記突起部は、支持体が退避位置に位置設定された状態で前記係合片との干渉でストッパ片が用紙当止位置に位置設定される一方、支持体が給紙位置に位置設定された状態で前記干渉の解除によりストッパ片が用紙遣過し位置に位置設定されるように形状設定されてなることを特徴とするものである。
【００１７】
この発明によれば、支持体が退避位置に位置設定された状態では、ストッパの係合片が機器本体の突起部と係合し、これによってストッパの用紙当止位置が固定されるため、この状態で用紙の先端揃えを行うことができる。そして、支持体を給紙位置に位置設定することにより、係合片の突起部に対する係合が解除され、これによってストッパは、支持軸回りに回動自在な用紙遣過し位置に位置設定され得るようになるため、用紙は、ピックアップコロの繰出軸回りの回転でストッパ片を遣り過して回動軸回りに回転している給紙コロへ向けて送り込まれ、この給紙コロによって装置本体内へ供給される。
【００１８】
このように、ストッパを、支持体における繰出軸および給紙軸間でこれらと平行な支持軸回りに回動自在に軸支され、且つ支持軸の位置から下方に延びて用紙供給トレイ上の用紙の先端縁に対向するストッパ片と、同上方に向けて突設された係合片とを備えて構成することにより、ストッパの構造を簡単なものにした上で、用紙の先端揃え操作、および先端揃えが完了した用紙の装置本体内への送り込み操作の双方が確実に行い得るようになる。
【００１９】
請求項４記載の発明は、請求項３記載の発明において、前記突起部は、前記ストッパ片が用紙遣過し位置に位置設定された状態で給紙位置に位置設定されていた前記支持体が退避位置に位置変更することにより、前記係合片との係合でストッパ片が逆方向に引き出される場合の用紙との干渉を回避する用紙回避位置に位置変更し得るように形状設定されてなる特徴とするものである。
【００２０】
この発明によれば、ストッパの係合片と当接する装置本体の突起部の形状設定によってストッパの位置変更を行い得るとともに、接待された位置の維持をも可能となるため、装置の簡素化を行う上で有効である。
【００２１】
請求項５記載の発明は、請求項３または４記載の発明において、前記装置本体は、前記支持体を覆う開閉自在のカバー体を有し、前記前記突起部は、カバー体に設けられてなることを特徴とするものである。
【００２２】
この発明によれば、カバー体は、装置本体においてストッパの上方位置に位置されるため、突起部を設ける部材として適している。また、紙詰まり等のトラブルが発生した場合、通常、カバー体が外されて修復処理が施されるが、カバー体を外すことにより突起部のストッパに対する干渉が解消されてストッパは位置変更自在となるため、トラブル解消処理時に動かないストッパが邪魔になるような不都合の発生が防止される。
【００２３】
請求項６記載の発明は、請求項３乃至５のいずれかに記載の発明において、前記突起部は、用紙搬送方向下流側に第１傾斜面を有するとともに、用紙搬送方向上流側に第２傾斜面を有する逆三角形状に形成され、且つ支持体が退避位置に位置設定された状態で前記係合片が第１傾斜面および第２傾斜面のいずれか一方側に当接し、支持体が給紙位置に位置設定された状態で前記係合片の突起部への当接が解除されるように形状設定および位置設定されてなることを特徴とするものである。
【００２４】
この発明によれば、ストッパの下方位置に用紙が存在しない状態（すなわち用紙送りが行われる前の用紙の先端揃えを行う状態）では、支持体が退避位置に位置設定されることにより、係合片が突起部の第１傾斜面に当接してストッパの用紙当止位置が維持される一方、ストッパの下方位置に用紙が存在する状態（すなわち用紙が装置本体に供給されつつある状態）において、支持体が退避位置に位置設定されても、係合片が突起部の第２傾斜面に当接することによりストッパは用紙遣過し位置が保持されるため、何らかの不具合（例えば紙詰まり等）で給紙途中の用紙を給紙方向と反対方向に引き出さなければならないような事態が生じても、ストッパが用紙当止位置に戻って用紙と干渉し、これによって用紙を逆方向に引き出し得なくなるような不都合の発生を防止することができる。
【００２５】
請求項７記載の発明は、請求項１乃至６のいずれかに記載の発明において、前記支持体の位置変更は、装置本体に設けられた用紙を装置本体内に引き込む駆動機構の動作と連動されてなることを特徴とするものである。
【００２６】
この発明によれば、用紙を装置本体内に引き込む駆動機構の動作と連動して支持体の位置変更が行われるため、支持体の位置変更のために別途駆動源を設ける必要がなく、装置の簡素化が実現する。
【００２７】
【発明の実施の形態】
図１は、本発明に係る用紙自動送り装置が適用された画像処理装置の一種である複写機の一実施形態を示す斜視図であり、図２は、図１の複写機における原稿読取装置の内部を原稿供給口側から目視した状態を示す斜視図である。まず、図１に示すように、複写機１０は、外観視が箱形を呈した複写機本体１１と、この複写機本体１１の上面に付設された原稿読取装置１２とを有する基本構成を備えている。
【００２８】
前記装置本体１１には各種の機器が内装され、これらの機器の作用により原稿読取装置１２で読み取った原稿（用紙）Ｐの画像が所定の用紙に転写処理されるようになっている。画像転写処理の完了した用紙は、複写機本体１１の壁面の適所に設けられた排紙口１１ａから図略の排紙トレイへ向けて排紙される。複写機本体１１の適所には、複写に関する各種の情報（原稿サイズや複写枚数等）を入力するための操作パネル１１ｂが設けられているとともに、操作パネル１１ｂに近接した位置にスタートボタン１１ｃが設けられている。
【００２９】
前記原稿読取装置１２は、複写機本体１１の上面開口を塞ぐように配設された基台１３と、この基台１３の一端部側（複写機１０の図１における奥部側）に設けられた原稿読取部１４とを備えている。原稿読取部１４は、基台１３の一端部から上方に向けて突設された幅方向一対の側板１５と、これら側板１５の上部間に架設されたカバー体１６を備えている。一対の側板１５と、カバー体１６とに囲まれた空間に本発明に係る用紙自動送り装置２０（図３〜図６）が装着されている。
【００３０】
側板１５の他方の端部（図１における手前側）間には、当該各側板１５の端縁とカバー体１６の端縁とで囲まれた、原稿Ｐを用紙自動送り装置２０へ供給するための原稿供給口１４ａが開口されているとともに、この原稿Ｐ供給口１４ａから外方に向かって斜めに原稿供給トレイ１７が突設され、この原稿供給トレイ１７に載置された原稿Ｐが原稿供給口１４ａを通って用紙自動送り装置２０に供給されるようになっている。
【００３１】
本実施形態では、原稿読取部１４内の原稿供給口１４ａに臨む部分に、図２に示すように、幅方向一対のストッパ４０が設けられている。これらのストッパ４０については後に詳述する。
【００３２】
一方、一対の側板１５間における原稿供給トレイ１７の下方位置には、用紙自動送り装置２０で読み取り処理の完了した原稿Ｐを排出するための原稿排出口１４ｂが開口されているとともに、下方で前記原稿供給トレイ１７と対向した基台１３の上面には凹設処理されることによって形成した排出原稿トレイ１８が形成され、原稿排出口１４ｂを通って排出された原稿Ｐはこの排出原稿トレイ１８に積層貯留されるようになっている。
【００３３】
図３〜図６は、本発明に係る用紙自動送り装置２０の一実施形態を示す側面視の断面図であり、図３は、コロ支持体が退避位置に位置設定されているとともに、ストッパが用紙当止位置に位置設定された状態、図４は、コロ支持体が給紙位置に位置設定されているとともに、ストッパが用紙当止位置で回動自在とされた状態、図５は、コロ支持体が給紙位置に位置設定されているとともに、ストッパが用紙遣過し位置に位置設定された状態、図６は、コロ支持体が退避位置に位置設定されているとともに、ストッパが用紙回避位置に位置設定された状態をそれぞれ示している。
【００３４】
まず、図３〜図６に示すように、用紙自動送り装置２０は、原稿読取部１４における一対の側板１５とカバー体１６とを備えて構成された送り装置本体２１内に装着されており、原稿供給トレイ１７に載置された原稿Ｐの束の最上位のものを１枚ずつ順次引き取って装置本体２１内に給紙する給紙部材３０と、この給紙部材３０に付設され、且つ原稿供給トレイ１７上に載置された原稿Ｐの束の先端縁をマニュアル操作で当止させるストッパ４０と、この給紙部材３０によって引き取られた原稿Ｐの位置調整を行ったのち当該原稿Ｐを画像読取部８０へ送り込むためのギヤ機構５０とを備えた基本構成を有している。なお、本発明に係る給紙部は、本実施形態においては、給紙部材３０とストッパ４０とを備えて構成されている。
【００３５】
図７および図８は、給紙部材３０の一実施形態を示す斜視図であり、図７は、給紙部材３０を斜め上方から見た状態、図８は、給紙部材３０を斜め下方から見た状態をそれぞれ示している。以下、図８および図９を基に、必要に応じて図３〜図６を参照しながら給紙部材３０について説明する。
【００３６】
まず、図７および図８に示すように、給紙部材３０は、支持体３１と、この支持体３１に支持される給紙コロ３２およびピックアップコロ３３と、これらのコロ３２，３３を共回りさせるギヤ３４とを備えて構成されている。支持体３１は、本実施形態においては、合成樹脂製の成形品によって形成され、天板３１ａと、この天板３１ａの両端部からそれぞれ垂下されて形成した幅方向一対の側板３１ｂとを備えている。
【００３７】
前記給紙コロ３２は、支持体３１の各側板３１ｂ間の基端側（図３の左方）に貫通された長尺軸（回動軸）３５回りに回動自在に軸支されている。長尺軸３５は、送り装置本体２１の一対の側板１５間における中央上部位置間に架設され、これによって給紙部材３０が送り装置本体２１内に装着されるようになっている。
【００３８】
前記ピックアップコロ３３は、支持体３１の各側板３１ｂ間の先端側（図３の右方）に支持された短尺軸（繰出軸）３６回りに回動自在に軸支されている。そして、給紙部材３０は、支持体３１が長尺軸３５回りに図３における時計方向へ回動することにより、ピックアップコロ３３が原稿Ｐの先端部を押えた（ピックアップコロ３３が給紙位置に位置設定された）給紙位置と、同逆方向へ回動することにより、ピックアップコロ３３の原稿Ｐに対する押圧が解除された（ピックアップコロ３３が退避位置に位置設定された）退避位置との間で位置変更し得るようになっている。
【００３９】
前記ギヤ３４は、給紙コロ３２と一体回転するように長尺軸３５に摺接状態で装着された給紙コロ用ギヤ３４ａと、ピックアップコロ３３とワンウエイクラッチ３７を介して摺接状態で短尺軸３６に装着されたピックアップコロ用ギヤ３４ｂと、これらのギヤ３４ａ，３４ｂ間に介設されて両者と噛合する中間ギヤ３４ｃとが存在する。
【００４０】
前記ワンウエイクラッチ３７は、ピックアップコロ用ギヤ３４ｂの図３および図８における短尺軸３６回りの時計方向へ向かう回転をピックアップコロ３３へ伝達するのに対し、同反時計方向へ向かう回転は伝達しないようにクラッチ設定されている。これによって、ピックアップコロ３３が短尺軸３６回りに反時計方向に回転して原稿供給トレイ１７上の原紙を逆方向へ移動させるような不都合が生じないようになされている。
【００４１】
前記給紙コロ用ギヤ３４ａは、ギヤ機構５０からの駆動力を得て回転するようになっており、その正逆回転は、中間ギヤ３４ｃを介し同期してピックアップコロ用ギヤ３４ｂに伝達されるようになっている。また、給紙コロ用ギヤ３４ａとピックアップコロ用ギヤ３４ｂとは同一径寸法に設定され、これによって両者は同一回転数で回転することになる。
【００４２】
そして、給紙コロ用ギヤ３４ａと反対側の給紙コロ３２の端面と、この端面に対向した支持体３１の側板３１ｂとの間には、長尺軸３５に遊嵌されたコイルスプリング３８が圧縮状態で介設されている。したがって、給紙コロ３２の回転は、コイルスプリング３８と給紙コロ３２の端面間およびコイルスプリング３８と側板３１ｂの内面間に生じる摩擦力によって支持体３１に伝達される。
【００４３】
したがって、支持体３１は、それに外力が作用していない状態で長尺軸３５回りに給紙コロ３２と一体回転するのに対し、ピックアップコロ３３が支持体３１の時計方向への回転で原稿供給トレイ１７上の原稿Ｐに当止し、これによって支持体３１が給紙位置に位置設定された状態（図５参照）では、前記摩擦力より大きな回転力が給紙コロ３２に付与されることにより、給紙コロ３２の回転は継続されながら支持体３１の回転は阻止された状態になる。
【００４４】
これとは逆に、支持体３１が長尺軸３５回りの反時計方向へ向かう回転によりカバー体１６の天井に当止して退避位置に位置設定された場合（図３参照）には、給紙コロ３２の反時計方向へ向かう回転は継続されつつ支持体３１の回転は阻止された状態になる。
【００４５】
一方、送り装置本体２１内には、原稿供給トレイ１７の下流端に接続された同一レベルの原稿先端受け部２２が形成されている。この原稿先端受け部２２は、給紙コロ３２より若干下方位置でピックアップコロ３３の直下に設けられている。かかる原稿先端受け部２２は、原稿Ｐの先端部が載置される原稿載置板２２ａと、この原稿載置板２２ａの下流端（図３の左方）から垂下された縦板２２ｂとからなっている。原稿載置板２２ａは、図３に示すように、側面視で下流側（図３の左方）が先上りに傾斜した傾斜部２２ｃを有しており、この傾斜部２２ｃの存在で、原稿載置板２２ａに載置された原稿Ｐの先端部は先上りになり、これによって原稿Ｐは、ピックアップコロ３３の回転で給紙コロ３２へ向けて引き込まれ易くなるようにしている。
【００４６】
また、前記縦板２２ｂの上下方向の中間位置より若干上方に寄った位置からは下流側（図３の左方側）に向けて原稿Ｐを案内するための内方案内体２３が設けられているとともに、支持体３１の下流端位置から前記内方案内体２３に対応して原稿読取部１４内における当該内方案内体２３より外方位置に設けられた外方案内体２４が設けられている。
【００４７】
前記内方案内体２３は、原稿先端受け部２２の縦板２２ｂに接続され下流側へ向けて先上りに傾斜した傾斜案内部２３ａと、この傾斜案内部２３ａから先端が下方に向かうように円弧状（具体的には１／４円弧状）で延設された円弧状案内部２３ｂとからなっている。一方、前記外方案内体２４は、円弧状案内部２３ｂとの間の隙間寸法が略一定になるように形状設定され、かかる外方案内体２４と前記円弧状案内部２３ｂとの間に原稿Ｐをレジストコロ２７へ向けて案内する円弧状案内空間１４ｃが形成されている。
【００４８】
また、内方案内体２３の傾斜案内部２３ａの上部には、前記給紙コロ３２の下方周面が摺接するか、あるいは僅かな隙間（原紙の厚み寸法より狭い隙間）を有するように対向配置された摺接体２５が設けられ、原稿供給口１４ａから原稿読取部１４内に導入された原稿Ｐは、給紙コロ３２と摺接体２５とに挟持された状態で当該給紙コロ３２の長尺軸３５回りの時計方向へ向かう回転に誘導されて円弧状案内空間１４ｃへ導かれるようになっている。
【００４９】
かかる摺接体２５は、軟質の発泡性合成樹脂等の容易に弾性変形し得る柔軟な材料によって形成され、長尺軸３５回りに時計方向へ回転している給紙コロ３２と摺接体２５との間に供給された原稿Ｐを摺接体２５の圧縮弾性変形によって通過させえ得ようになっている。また、２枚の原稿Ｐが、給紙コロ３２および摺接体２５間に供給された場合には、回転している給紙コロ３２の周面は最上位の原稿Ｐにしか作用しない一方、下方の原稿Ｐは摺接体２５に阻止されるため、上方の原稿Ｐのみが円弧状案内空間１４ｃへ送り込まれることになる。
【００５０】
また、原稿先端受け部２２の縦板２２ｂの上端部からは、下面が摺接体２５の上流側に当接し、先端が摺接体２５の原稿供給口１４ａ側の上方で給紙コロ３２の周面に対向したガイド板２６が延設されている。このガイド板２６の上面は、原稿先端受け部２２の縦板２２ｂの下端部上面と面一になるように延設位置が設定されている。
【００５１】
かかるガイド板２６は、本実施形態においては、図２に示すように、原稿読取部１４内における一対のストッパ４０の直下流側位置に幅方向一対で設けられている。
【００５２】
前記ストッパ４０は、図２〜図６、図７および図８に示すように、前記支持体３１の各側板３１ｂからそれぞれ外方に向かって突設された端面視で十字状を呈する十字軸（支持軸）４４回りに回動自在に軸支されている。十字軸４４が採用されるのは、十字軸４４と、当該十字軸４４に外嵌されたストッパ４０の装着孔４１ａの内周面との間の接触面積を小さくし、これによりストッパ４０が回動するときの摩擦力を小さくしてストッパ４０が容易に回動し得るようにするためである。かかる十字軸４４は、支持体３１の側板３１ｂ外面における長尺軸３５および短尺軸３６間であって、短尺軸３６寄りの位置の若干上方位置に設けられている。
【００５３】
そして、かかるストッパ４０は、十字軸４４に摺接状態で外嵌される装着孔４１ａを備えた装着筒４１と、給紙機構１７上の原稿先端縁に対向されるストッパ片４２と、装着孔４１ａを境にして上方へ突設された係合片４３とを備えて構成されている。
【００５４】
前記ストッパ片４２は、装着筒４１から下方に延びて下端が原稿先端受け部２２の縦板２２ｂの図２における左面上部に当接した用紙供給トレイ上の用紙の先端縁に対向するように長さ設定されている。
【００５５】
かかるストッパ４０は、ストッパ片４２が垂下して下端部が原稿先端受け部２２の縦板２２ｂ上部へ当止することで原稿供給トレイ１７上の原稿Ｐの先端縁と対向した、図３および図４に示す原稿当止位置（用紙当止位置）と、ストッパ片４２が十字軸４４回りに時計方向へ回動した、図５に示す原稿遣過し位置（用紙遣過し位置）との間で位置変更可能になっている。
【００５６】
これに対しカバー体１６の裏面側には、前記係合片４３と対向して下方へ向けて突設された突起部６０が設けられている。この突起部６０は、本実施形態においては側面視で逆三角形状に形状設定され、原稿Ｐの搬送方向側（図３の左方側）に第１傾斜面６１を有するとともに、用紙の搬送方向側と反対側に第２傾斜面６２を有している。
【００５７】
そして、給紙部材３０が長尺軸３５回りに反時計方向に回動して退避位置に位置設定された状態（図３）で前記係合片４３が第１傾斜面６１に当接する一方、退避位置に位置設定されていた給紙部材３０が長尺軸３５回りに時計方向に回動されて給紙位置に位置設定された状態（図４および図５）で前記係合片４３の第１傾斜面６１に対する当接が解除され、これによってストッパ４０が原紙遣過し位置（図５に二点鎖線で表示）と、原紙当止位置（図４）との間で位置変更し得るようになっている。
【００５８】
したがって、給紙部材３０が退避位置に位置設定され、且つストッパ４０が原稿当止位置に位置設定された状態（図３）では、係合片４３が突起部６０の第１傾斜面６１に当止し、これによってストッパ片４２の十字軸４４回りの時計方向へ向かう回動は阻止された状態になっているため、原稿Ｐの束を、原稿供給口１４ａを介して原稿読取部１４内に挿入し、その先端縁をストッパ片４２に押し当てても、当該ストッパ片４２が動くことはなく、したがって、原稿Ｐの束を一対のストッパ片４２に押し当てることで当該原稿Ｐの束の先端縁を確実に揃えることができる。
【００５９】
また、給紙部材３０が給紙位置に位置設定された状態（すなわち係合片４３が突起部６０から外れ、且つピックアップコロ３３が原稿束の最上位に位置している原稿Ｐに押圧当接した状態）で、ピックアップコロ３３が短尺軸３６回りに時計方向へ向けて駆動回転されると、最上位の原稿Ｐがピックアップコロ３３の回転に誘導されて下流側へ引き込まれ、ストッパ片４２は、図５に実線で示すように、原稿Ｐの先端で押されて十字軸４４回りに反時計方向へ回動し、さらに押されることによって、図５に二点鎖線で示すように、原稿Ｐは、ストッパ片４２の下端縁をすり抜けて原稿読取部１４の円弧状案内空間１４ｃへ導入されることになる。
【００６０】
そして、原稿束の最上位の原稿Ｐの後端縁が、図５に二点鎖線で示すストッパ片４２の下端縁を通り過ぎると、ストッパ片４２の下端縁の二点鎖線で示す原稿Ｐに対する当接が解消されることにより、ストッパ４０は十字軸４４回りに反時計方向に回動し、これによって図４に示すように、原稿当止位置に戻されることになる。
【００６１】
そして、本実施形態においては、図５に示すように、ストッパ４０が原紙遣過し位置に位置設定された状態（すなわちストッパ片４２の下端縁が原稿Ｐの上面に当接した状態）で、給紙部材３０が退避位置に位置変更されたような状況にも対応し得るようになっている。具体的には、ストッパ４０が遣過し位置に位置設定された状態で、ストッパ４０の係合片４３が突起部６０の第２傾斜面６２に対向するように突起部６０が形状設定および位置設定されているのである。
【００６２】
したがって、ストッパ４０が原紙遣過し位置に位置設定された状態で給紙部材３０が長尺軸３５回りに反時計方向へ向けて回動すれば（すなわち退避位置に位置変更されれば）、図６に示すように、係合片４３が突起部６０の第２傾斜面６２に当止し、これによってストッパ４０の十字軸４４回りの反時計方向へ向かう回動が阻止されるため、原稿当止位置になったストッパ片４２の下端が原稿Ｐの上面を押圧して当該原稿Ｐを破損させるような不都合が回避される。
【００６３】
原稿読取部１４内の円弧状案内空間１４ｃの略鉛直になった下流端位置には、周面の一部が内方案内体２３の円弧状案内部２３ｂの下流端から原稿排出口１４ｂへ若干突出したレジストコロ２７が設けられているとともに、円弧状案内空間１４ｃの直下には、周面がこのレジストコロ２７の周面に当接した第１遊びコロ２８１が設けられている。
【００６４】
レジストコロ２７は、円弧状案内部２３ｂの曲率中心位置の近傍に原稿Ｐの搬送方向と直行するように一対の側板１５間に架設されたレジストコロ軸２７ａ回りに同心で一体回転可能に設けられているとともに、第１遊びコロ２８１は、レジストコロ軸２７ａと平行な第１遊びコロ軸２８１ａ回りに回転自在に軸支されている。
【００６５】
第１遊びコロ２８１は、第１遊びコロ軸２８１ａをレジストコロ２７に向かうように付勢する付勢手段２８１ｂの付勢力によってレジストコロ２７の周面に押圧当止した状態にされているため、この位置に到達した原稿Ｐの先端部は両者の周面に確実に押圧挟持されることになる。
【００６６】
また、レジストコロ２７の図３における右側の斜め下方位置には、第２遊びコロ軸２８２ａ回りに回転自在に軸支された第２遊びコロ２８２が設けられている。したがって、レジストコロ２７と第１遊びコロ２８１とにより先端が位置決めされた後の原稿Ｐは、レジストコロ軸２７ａ回りの反時計方向へ向かう回転に誘導され、第１遊びコロ２８１の位置から下方に向けてレジストコロ２７の周面に略沿うように形成された第１ペーパーガイド２９１にガイドされつつレジストコロ２７の直下に形成された画像読取部８０へ向かうようになっている。
【００６７】
そして、画像読取部８０を通過した原稿Ｐは、画像読取部８０の下流側（図３の右方）に設けられたレジストコロ２７の周面に略沿う第２ペーパーガイド２９２にガイドされながらレジストコロ２７と第２遊びコロ２８２とに挟持された状態でレジストコロ２７の回転に誘導され、原稿排出口１４ｂを通って排出原稿トレイ１８上に排出されるようになっている。
【００６８】
なお、原稿読取部１４内の原稿排出口１４ｂに臨む位置には、排出通路１４ｄの上方側に排出コロ軸２８３ａ回りに反時計方向に駆動回転する排出コロ２８３が設けられ、この排出コロ２８３の駆動回転によって原稿Ｐの排出原稿トレイ１８上への排出が確実に行われるようになっている。
【００６９】
前記画像読取部８０は、複写機本体１１の上面でレジストコロ２７の下側周面との間に原稿Ｐが通過し得る程度の僅かな隙間を介し幅方向（図３の紙面に直交する方向）の全長に亘って延びるように配設されたコンタクトガラス８１と、このコンタクトガラス８１を介して原稿Ｐの原稿画像を光学的に読み取る画像検出センサ８２とを備えている。したがって、レジストコロ２７のレジストコロ軸２７ａ回りの回転に誘導されて摺接状態でコンタクトガラス８１の上面を通過する原稿Ｐに記載された画像は、原稿Ｐの移動に伴って画像検出センサ８２により順次読み取られていくことになる。
【００７０】
図９は、用紙自動送り装置２０のギヤ機構５０の一実施形態を説明するための模式化された側面視の説明図である。この図に示すように、ギヤ機構５０は、原稿読取部１４内の適所に設けられた駆動モータ７０の駆動軸７１と同心で一体回転可能に設けられた駆動ギヤ５１と、この駆動ギヤ５１に噛合され中央ギヤ軸５２ａ回りに回転可能に軸支された中央ギヤ５２と、この中央ギヤ５２および前記給紙コロ用ギヤ３４ａ間に介設され第１介設ギヤ軸５３ａ回りに回転可能に軸支された第１介設ギヤ５３と、中央ギヤ５２に噛合した状態で第２介設ギヤ軸５４ａ回りに回転可能に軸支された第２介設ギヤ５４と、この第２介設ギヤ５４に噛合してレジストギヤ軸５５ａ回りに一体回転可能に軸支されたレジストギヤ５５とを備えて構成されている。
【００７１】
前記駆動軸７１、第１介設ギヤ軸５３ａ、第２介設ギヤ軸５４ａおよびレジストギヤ軸５５ａは、いずれも原稿Ｐの搬送方向と直交する方向に向いている。また、各ギヤのギヤ比は、ピックアップコロ３３の周速度と、レジストコロ２７の周速度とが同一になるようにそれぞれ設定されている。
【００７２】
前記レジストギヤ軸５５ａとレジストコロ軸２７ａとの間には、巻きばね等の回転トルクを軸の回転方向によって選択的に伝達、切離しするように構成されたワンウエイクラッチ５６が介設され、レジストギヤ軸５５ａが順回転（図９における時計方向へ向かう回転）する場合には当該ワンウエイクラッチ５６が切られてレジストギヤ軸５５ａの回転がレジストコロ２７に伝達されないようになっている一方、レジストギヤ軸５５ａが逆回転（図９における反時計方向へ向かう回転）する場合にはワンウエイクラッチ５６が入れられ、これによってレジストコロ２７がレジストギヤ軸５５ａと一体回転するようになっている。
【００７３】
そして、本発明においては、給紙コロ３２の長尺軸３５回りの反時計方向に向かう駆動回転で円弧状案内空間１４ｃに導入された原稿Ｐの先端がレジストコロ２７と第１遊びコロ２８１との対向位置に到達するまでは前記ワンウエイクラッチ５６は切離されており、原稿Ｐの先端がレジストコロ２７と第１遊びコロ２８１との対向位置に到達した時点にワンウエイクラッチ５６が接合されるようになっている。そして、このワンウエイクラッチ５６の接合と同期して駆動モータ７０が逆回転（駆動軸７１回りに時計方向へ向かう回転）に切り替えられるようになっている。
【００７４】
前記のような原稿Ｐの先端を検出するために、本実施形態においては、外方案内体２４の下端位置で且つレジストされた原稿Ｐの先端部に対向する位置に先端検出センサ９１（図３〜図６）が設けられている。また、原稿排出口１４ｂの近傍位置には、排出通路１４ｄを通って排出原稿トレイ１８へ排出される原稿Ｐの後端を検出するための後端検出センサ９２が設けられている。
【００７５】
そして、先端検出センサ９１が原稿Ｐの先端を検出すると、この検出信号は図略の制御装置に入力され、制御装置はこの検出信号に基づいて駆動モータ７０へ向けて回転方向を逆回転に切り替える制御信号が出力する一方、後端検出センサ９２が原稿Ｐの降誕を検出すると、この検出信号は制御装置に入力され、制御装置はこの検出信号に基づいてワンウエイクラッチ５６へ向けてクラッチ離切の制御信号を出力するようになっている。
【００７６】
以下、図３〜図６を基に、必要に応じてその他の図面を参照しながら、本発明に係る用紙自動送り装置２０の作用について説明する。原稿Ｐの束が用紙自動送り装置２０へ供給される前は、図３に示すように、給紙部材３０が退避位置に位置設定された状態でストッパ４０は原稿当止位置に位置設定され、突起部６０の第１傾斜面６１に対する係合片４３の当接によってストッパ４０の原稿当止位置が変化し得ないように固定されている。
【００７７】
この状態で原稿Ｐの束を原稿供給トレイ１７上に供給するに際し、原稿Ｐの束を把持してマニュアル操作でその先端を原稿供給口１４ａから原稿読取部１４内に押し込み、図３に示すように、ストッパ片４２に当止させる。このときストッパ４０は動かないように固定されているため、原稿Ｐの束の先端は、動かないストッパ片４２に当たって揃えられることになる。
【００７８】
ついで、原稿Ｐの束の先端が揃えられたことを確認した後、操作パネル１１ｂに（図１）に対して複写部数等の所定の入力操作を行い、引き続きスタートボタン１１ｃ（図１）をオン操作する。このスタートボタン１１ｃのオン操作は、制御装置を介し駆動信号として駆動モータ７０へ向けて出力され、これによって駆動モータ７０が順回転（図９における反時計方向への回転、矢印で表示）を開始する。
【００７９】
この駆動モータ７０の順回転は、駆動ギヤ５１、中央ギヤ５２および第１介設ギヤ５３を介して給紙コロ用ギヤ３４ａに伝達されるとともに、さらに中間ギヤ３４ｃを介してピックアップコロ用ギヤ３４ｂに伝達され、これによって給紙コロ用ギヤ３４ａおよびピックアップコロ用ギヤ３４ｂはそれぞれ時計方向に向けて回転する。
【００８０】
そして、給紙コロ用ギヤ３４ａが時計方向へ回転すると、当該ピックアップコロ用ギヤ３４ｂと一体の給紙コロ３２も時計方向へ回転するとともに、コイルスプリング３８（図８）を介して給紙コロ用ギヤ３４ａと当接した支持体３１も長尺軸３５回りに時計方向に回動し、これによって、図４に示すように、ピックアップコロ３３が原稿束の最上位の原稿Ｐの上面を押圧した状態になる。この状態では、コイルスプリング３８と支持体３１の側板３１ｂとの間でスリップが生じ、これによって給紙部材３０のこれ以上の回動は阻止されるとともに、ピックアップコロ３３が原稿Ｐを所定の圧力で押圧した状態になる。
【００８１】
したがって、用紙束の最上位に位置した原稿Ｐは、ピックアップコロ３３の短尺軸３６回りの時計方向に向かう回転に誘導されて下流側（図４の左方）に向かって移動し、ストッパ片４２を押圧する。このときストッパ４０は、給紙部材３０が給紙位置に位置変更していることで係合片４３が突起部６０の第１傾斜面６１から外れてフリーになっていることにより、下流側に向かう原稿Ｐの先端に押されて十字軸４４回りに時計方向へ回動し、図５に二点鎖線で示すように、原稿遣過し位置に位置変更される。
【００８２】
これによって原稿Ｐは、ストッパ片４２の下端をすり抜けて給紙コロ３２に到達し、当該給紙コロ３２と摺接体２５とにより挟持された状態で給紙コロ３２の回転に誘導されつつ下流側に向けて進行し、円弧状案内空間１４ｃへ導入されていく。原稿Ｐが給紙コロ３２の駆動でレジストコロ２７へ向けて給紙されることを一次給紙という。
【００８３】
一方、図９に示すように、駆動モータ７０の順駆動回転は、駆動ギヤ５１、中央ギヤ５２および第２介設ギヤ５４を介してレジストギヤ５５にも伝達され、当該レジストギヤ５５がレジストギヤ軸５５ａ回りに時計方向に回転するが、このときワンウエイクラッチ５６が切離されてレジストコロ２７は停止状態になっている。
【００８４】
そして、給紙コロ３２の駆動回転に誘導されて円弧状案内空間１４ｃ内を移動しつつある原稿Ｐの先端がレジストコロ２７と第１遊びコロ２８１との対向位置に到達すると先端検出センサ９１がそれを検出し、この検出信号が制御装置に入力される。制御装置は、この検出信号が入力されると駆動モータ７０へ向けて当該駆動モータ７０が逆回転（駆動軸７１回りに時計方向へ向かう回転）するための駆動信号を出力する。
【００８５】
これによってレジストコロ２７は、レジストギヤ５５およびワンウエイクラッチ５６を介してレジストコロ軸２７ａ回りに反時計方向へ回転するため、先端がレジスト位置に位置した原稿Ｐは、図６に示すように、レジストコロ２７の回転に誘導され、第１ペーパーガイド２９１に案内されつつレジストコロ２７の周面とコンタクトガラス８１との隙間を通過しながら画像検出センサ８２によって原稿画像が読み取られ、引き続き第２ペーパーガイド２９２に案内されたのち排出通路１４ｄを通って原稿排出口１４ｂから排出原稿トレイ１８へ向けて排出されることになる。なお、原稿Ｐがレジストコロ２７の回転により画像読取部８０へ向けて給紙されることを二次給紙という。
【００８６】
これに対し、給紙コロ３２は、駆動モータ７０が逆回転している状態では、図略のワンウエイクラッチがクラッチオフされた状態になっているため長尺軸３５回りに回転することはなく、原稿Ｐが逆戻りする方向に引っ張られるような不都合は生じない。
【００８７】
また、ピックアップコロ３３は、給紙コロ３２が長尺軸３５回りに反時計方向に回転しているときは、ワンウエイクラッチ３７の作用によって回転しないため、たとえピックアップコロ３３が用紙束の最上位の原稿Ｐに当接していても、当該原稿Ｐが上流側へ逆送されるような不具合も生じない。
【００８８】
そして、原稿Ｐの原稿排出口１４ｂからの排出完了が後端検出センサ９２によって検出されると、制御装置は、この検出信号に基づき駆動モータ７０に向けて順回転を行わせるための駆動信号を出力するため、給紙部材３０およびストッパ４０は、図４に示すように、それぞれ一旦給紙位置および原稿当止位置に復帰し、その後、上記と同様の作用によって２枚目の原稿Ｐが画像読取部８０へ向けて送り出されることになる。
【００８９】
そして、原稿供給トレイ１７上の原稿Ｐがなくなったことを原稿存否センサ９３が検出すると、この検出信号に基づく制御装置からの制御信号によって駆動モータ７０が逆方向（図９において時計方向）に回転させられ、これによって給紙位置に位置設定されていた給紙部材３０（図４）は、図３に示すように、退避位置に位置変更されるとともに、ストッパ４０は、係合片４３が突起部６０の第１傾斜面６１に当止することによって設定された原稿当止位置が固定される。この状態で駆動モータ７０が停止され、一連の原稿Ｐの読み取り処理が完了する。
【００９０】
つぎに、ピックアップコロ３３に注目しその動作について説明する。ピックアップコロ３３を短尺軸３６回りに回転可能に軸支した支持体３１は、原稿Ｐを１枚ずつ給紙する毎に退避位置と給紙位置との間で往復動するようになっている。そして、ピックアップコロ３３は、一次給紙において支持体３１が給紙位置に位置設定された状態（図４、図５参照）で短尺軸３６回りの時計方向へ向かう回転によって最上位の原稿Ｐをピックアップする一方、二次給紙においては、図６に示すように、退避位置に退避しているため、ピックアップコロ３３が二次給紙で原稿Ｐを搬送するための搬送負荷になることはない。
【００９１】
また、原稿供給トレイ１７上に積まれた原稿Ｐの給紙が全て完了した後は、図６に示す退避位置に位置設定された支持体３１が一旦給紙位置（図４）に戻されることにより、ストッパ４０は、突起部６０に対する当止が解消されて回動フリーとなり、引き続き支持体３１が退避位置に位置設定されることにより、ストッパ４０は、図３に示すように、初期状態の用紙当止位置に位置設定されることになる。
【００９２】
因みに、駆動モータ７０が正駆動（図９における反時計方向への駆動回転）するときの一次給紙、および駆動モータ７０が逆駆動（図９における時計方向への駆動回転）するときの二次給紙のそれぞれにおける給紙コロ３２、ピックアップコロ３３およびレジストコロ２７の回転方向、並びに給紙部材３０（支持体３１）の位置変更についてまとめると、表１に示すとおりである。
【００９３】
【表１】
2004307151.tif 000003
【００９４】
以上詳述したように、本発明に係る用紙自動送り装置２０は、原稿供給トレイ１７の直下流側に原稿Ｐを原稿読取装置１２内において給紙する給紙部材３０と、原稿Ｐの先端を当止させることによってその先端を揃えるために用いられるストッパ４０とを備え、給紙部材３０を、装置駆動前のストッパ４０による原稿Ｐの先端揃えに干渉しない退避位置と、装置駆動後に原稿Ｐの先端部上面に当接して当該原稿Ｐを原稿読取装置１２内に給紙する給紙位置との間で位置変更可能に構成し、ストッパ４０は、給紙部材３０との連動により当該給紙部材３０が退避位置に位置設定された状態で原稿Ｐの先端を当止させても動かないように当該原稿Ｐの先端と対向した用紙当止位置と、給紙部材３０が給紙位置に位置設定された状態で、給紙部材３０により給紙された原稿Ｐを遣り過す用紙遣過し位置との間で位置変更可能に構成している。
【００９５】
したがって、給紙部材３０を退避位置に位置設定することにより、ストッパ４０は、給紙部材３０と連動して用紙当止位置に固定されるため、原稿供給トレイ１７上の原稿Ｐの先端をストッパ４０に押し当てることにより、当該原稿Ｐの先端を確実に揃えることができる。そして、原稿Ｐの先端が揃えられた状態で、給紙部材３０を給紙位置に位置変更すると、この位置変更に連動してストッパ４０が用紙遣過し位置に位置設定されるため、給紙部材３０を駆動させることにより、原稿Ｐは１枚ずつがストッパ４０を順次遣過しながら原稿読取装置１２内に送り込まれていく。
【００９６】
このように、ストッパ４０は、給紙部材３０の位置変更に連動しながら、当該給紙部材３０が退避位置に位置設定された状態で原稿Ｐの先端を当止させても動かない用紙当止位置に位置設定される一方、給紙部材３０が給紙位置に位置設定されることにより給紙された原稿Ｐを遣り過す用紙遣過し位置に位置設定されるため、従来採用されていたような、給紙部材３０の位置変更操作と、ストッパ４０の位置変更操作とを異なる駆動源によって行うように構成されていものと比較し、原稿Ｐの確実な原稿読取装置１２内への送り込みを確保した上で、駆動源の共用によってその分部品点数が減少し、部品コストおよび組み付けコストの低減化に貢献することができる。
【００９７】
そして、給紙部材３０は、原稿供給トレイ１７上の原稿Ｐの先端に対向して設けられた当該原稿Ｐの最上位の１枚を用紙送り方向に直交する方向に延びる短尺軸３６回りの回転でピックアップするピックアップコロ３３と、ピックアップされた原稿Ｐを短尺軸３６と平行な長尺軸３５回りの回転で原稿読取装置１２内に送り込む給紙コロ３２と、各コロ３２，３３を長尺軸３５および短尺軸３６を介して支持する支持体３１とを備え、且つ長尺軸３５回りの支持体３１の正逆回動による退避位置と給紙位置との間の位置変更でピックアップコロ３３が原稿Ｐの先端揃えに干渉しない退避位置と、ピックアップコロ３３が原稿Ｐの先端に当接する給紙位置との間で位置変更可能に構成されているため、支持体３１が退避位置に位置設定されることにより、その短尺軸３６に軸支されたピックアップコロ３３は、原稿Ｐの先端部と干渉しない退避位置に位置設定されているとともに、ストッパ４０は用紙当止位置に位置設定される。この状態で原稿Ｐの先端をストッパ４０に当止させることにより原稿Ｐの先端揃えを安定した状態で行うことができる。
【００９８】
ついで、支持体３１を長尺軸３５回りに回動操作して給紙位置に位置設定することにより、ピックアップコロ３３は給紙位置に位置変更して原稿Ｐの上面に当止した状態になるとともに、ストッパ４０は用紙遣過し位置に位置設定されるため、この状態でピックアップコロ３３および給紙コロ３２の双方を短尺軸３６および長尺軸３５回りに所定方向に回転駆動させることにより、用紙束の最上位にある原稿Ｐは、ピックアップコロ３３によって引き取られ、引き続き給紙コロ３２の回転でストッパ４０を遣過しながら原稿読取装置１２内に供給される。
【００９９】
このように、給紙部材３０を、ストッパ４０との連動で動作するピックアップコロ３３と給紙コロ３２とで構成することにより、用紙自動送り装置の構造を簡単なものとした上で、原稿Ｐの確実な先端揃えと、これに続く原稿Ｐの原稿読取装置１２内に対する１枚ずつの捌き供給処理とを確実に実行することができる。
【０１００】
また、ストッパ４０を、支持体３１における短尺軸３６および長尺軸３５間でこれらと平行な十字軸４４回りに回動自在に軸支され、且つ十字軸４４の位置から下方に延びて原稿供給トレイ１７上の原稿Ｐの先端縁に対向するストッパ片４２と、同上方に向けて突設された係合片４３とを備えて構成し、原稿読取装置１２には係合片４３に対応した突起部６０を設け、この突起部６０は、給紙部材３０が退避位置に位置設定された状態で係合片４３との干渉でストッパ片４２が用紙当止位置に固定される一方、給紙部材３０が給紙位置に位置設定された状態で干渉の解除によりストッパ片４２が用紙遣過し位置に位置設定されるように形状設定されているため、支持体３１が退避位置に位置設定された状態では、ストッパ４０の係合片４３が機器本体の突起部６０と係合し、これによってストッパ４０の用紙当止位置を固定することができる。この状態で原稿Ｐの先端揃えを安定して行うことができる。
【０１０１】
そして、支持体３１を給紙位置に位置設定することにより、係合片４３の突起部６０に対する係合が解除され、これによってストッパ４０は、十字軸４４回りに回動自在な用紙遣過し位置に位置設定され得るようになるため、原稿Ｐは、ピックアップコロ３３の短尺軸３６回りの回転でストッパ片４２を遣り過して長尺軸３５回りに回転している給紙コロ３２へ向けて送り込まれ、この給紙コロ３２によって原稿Ｐを原稿読取装置１２内へ送り込むことができる。
【０１０２】
このように、ストッパ４０を、十字軸４４の位置から下方に延びて原稿供給トレイ１７上の原稿Ｐの先端縁に対向するストッパ片４２と、同上方に向けて突設された係合片４３とを備えて構成することにより、ストッパ４０の構造を簡単なものにした上で、原稿Ｐの先端揃え操作、および先端揃えが完了した原稿Ｐの原稿読取装置１２内への送り込み操作の双方を確実に行うことができる。
【０１０３】
また、突起部６０は、ストッパ片４２が用紙遣過し位置に位置設定された状態で給紙位置に位置設定されていた給紙部材３０が退避位置に位置変更することにより、係合片４３との干渉でストッパ片４２が原稿Ｐとの干渉を回避する用紙回避位置に位置変更し得るように形状設定されているため、かかる形状設定によってストッパ４０の位置変更を容易かつ確実に行い得るとともに、退避した位置の維持をも可能となり、かかる機能を確保した上での装置の簡素化を行う上で有効である。
【０１０４】
また、原稿読取装置１２には、給紙部材３０を覆う開閉自在のカバー体１６が設けられ，このカバー体１６に突起部６０が設けられており、当該カバー体１６は、原稿読取装置１２においてストッパ４０の上方位置に位置されるため、突起部６０を設ける部材として適している。
【０１０５】
また、紙詰まり等のトラブルが発生した場合、通常、カバー体１６が外されて修復処理が施されるが、カバー体１６を外すことにより突起部６０のストッパ４０に対する干渉が解消されてストッパ４０は位置変更自在となるため、トラブル解消処理時に動かないストッパ４０が邪魔になるような不都合の発生を防止することができる。
【０１０６】
さらに、突起部６０は、原稿Ｐの搬送方向側に第１傾斜面６１を有するとともに、原稿Ｐの搬送方向側と反対側に第２傾斜面６２を有する逆三角形状に形成され、且つストッパ４０の下方位置に原稿Ｐが存在しない状態で給紙部材３０が退避位置に位置設定されることにより係合片４３が第１傾斜面６１に当接し、ストッパ４０の下方位置に原稿Ｐが存在する状態で併合片が第２傾斜面６２に当接し、給紙部材３０が給紙位置に位置設定された状態で係合片４３の突起部６０への当接が解除されるように形状設定および位置設定されているため、ストッパ４０の下方位置に原稿Ｐが存在しない状態（すなわち用紙送りが行われる前の原稿Ｐの先端揃えを行う状態）では、給紙部材３０が退避位置に位置設定されることにより、係合片４３が突起部６０の第１傾斜面６１に当接してストッパ４０の用紙当止位置が維持される一方、ストッパ４０の下方位置に原稿Ｐが存在する状態（すなわち原稿Ｐが原稿読取装置１２に供給されつつある状態）において、ストッパ４０が退避位置に位置設定されても、係合片４３が突起部６０の第２傾斜面６２に当接することによりストッパ４０の用紙遣過し位置が維持される。
【０１０７】
したがって、何らかの不具合（例えば紙詰まり等）で給紙途中の原稿Ｐを給紙方向と反対方向に引き出さなければならないような事態が生じても、ストッパ４０が用紙当止位置に戻って原稿Ｐと干渉し、これによって原稿Ｐを逆方向に引き出し得なくなるような不都合の発生を防止することができる。
【０１０８】
本発明は、上記の実施形態に限定されるものではなく、以下の内容をも包含するものである。
【０１０９】
（１）上記の実施形態においては、用紙自動送り装置２０が複写機１０に適用されているが、本発明は、用紙自動送り装置２０が複写機１０に適用されることに限定されるものではなく、ファクシミリ装置やコンピュータの画像入力装置など、各種の画像読み取り機器に適用することができる。
【０１１０】
（２）上記の実施形態においては、給紙部材３０の位置変更に応じてストッパ４０の位置を変更させる構造として、ストッパ４０に設けられた係合片４３とカバー体１６に設けられた突起部６０が採用されているが、本発明は、ストッパ４０の位置変更構造が係合片４３および突起部６０により構成されることに限定されるものではなく、各種の構造を採用することができる。例えば、給紙部材３０に対して相対的に回動しない長尺軸３５と、ストッパ４０の適所とを、所定の介設構造によって連絡することにより、長尺軸３５回りの給紙部材３０緒正逆回動に応じてストッパ４０の位置を変更させる構造を得ることができる。
【０１１１】
（３）上記の実施形態においては、給紙コロ用ギヤ３４ａとピックアップコロ用ギヤ３４ｂとの間に中間ギヤ３４ｃを介在させることによって給紙コロ用ギヤ３４ａの回転をピックアップコロ用ギヤ３４ｂに伝達するようになされているが、こうする代わりに給紙コロ用ギヤ３４ａとピックアップコロ用ギヤ３４ｂ（実際はピックアップコロ用プーリ）との間にタイミングベルト等の無端ベルトを張設し、この無端ベルトを介して給紙コロ用ギヤ３４ａの回転をピックアップコロ用プーリに伝達するようにしてもよい。
【０１１２】
（４）上記の実施形態においては、ギヤ機構５０において、中央ギヤ５２とレジストギヤ５５との間に第２介設ギヤ５４を介在させることによって中央ギヤ５２の回転をレジストギヤ５５に伝達するようになされているが、こうする代わりに中央ギヤ５２とレジストギヤ５５（実際はレジストプーリ）との間にタイミングベルト等の無端ベルトを張設し、この無端ベルトを介して中央ギヤ５２の回転をレジストプーリに伝達するようにしてもよい。
【０１１３】
（５）上記の実施形態においては、給紙コロ３２の駆動回転で円弧状案内空間１４ｃ内に送り込まれた原稿Ｐの先端が先端検出センサ９１によって検出された直後の二次給紙時点に、駆動モータ７０が逆回転に切り替えられ、今まで長尺軸３５回りに時計方向に回転していた給紙コロ３２の回転方向を逆方向（反時計方向）に向けて回転させるようにし、これによる給紙部材３０の反時計方向に向かう回動で、図６に示すように、ストッパ４０の遣過し位置を固定していたが、こうする代わりに、給紙コロ用ギヤ３４ａと給紙コロ３２との間にクラッチを設け、先端検出センサ９１が原稿Ｐの先端を検出してから後端検出センサ９２が原稿Ｐの降誕を検出するまでの間、すなわち駆動モータ７０が逆回転している二次給紙の間はクラッチをオフにすることにより、図４に示すように、給紙部材３０の給紙位置およびストッパ４０の原稿当止位置を継続させるようにしてもよい。
【０１１４】
なお、このようにした場合、つぎに原稿供給トレイ１７に載置される原稿Ｐを対象とし、原稿存否センサ９３が原稿供給トレイ１７上に原稿Ｐが存在していないことを検出した後、駆動モータ７０を逆方向に駆動し、これにより給紙部材３０を退避位置に位置設定してストッパ４０の原稿当止位置を固定した、図３に示す状態に戻す必要がある。
【０１１５】
【発明の効果】
本発明によれば、支持体を退避位置に位置設定することにより、ストッパは、支持体と連動して用紙当止位置に固定されるため、用紙供給トレイ上の用紙の先端をストッパに押し当てることにより、当該用紙の先端を安定した状態で確実に揃えることができる。そして、用紙の先端が揃えられた状態で、支持体を給紙位置に位置変更することにより、この位置変更に連動してストッパが用紙遣過し位置に位置設定されるため、この状態で支持体を駆動させることにより、用紙の１枚ずつを、ストッパを遣過させながら装置本体内に順次送り込むことができる。
【０１１６】
このように、ストッパは、支持体の位置変更に連動しながら、当該支持体が退避位置に位置設定された状態で用紙の先端を当止させても動かない用紙当止位置に位置設定される一方、支持体が給紙位置に位置設定されることによって支持体により給紙された用紙を遣り過す用紙遣過し位置に位置設定されるため、従来採用されていたような、支持体の位置変更操作と、ストッパの位置変更操作とを異なる駆動源によって行うように構成されていものと比較し、用紙の確実な装置本体内への送り込みを確保した上で、駆動源の共用によってその分部品点数が減少し、部品コストおよび組み付けコストの低減化に貢献することができる。
【図面の簡単な説明】
【図１】本発明に係る用紙自動送り装置が適用された画像処理装置の一種である複写機の一実施形態を示す斜視図である。
【図２】図１の複写機における原稿読取装置の内部を原稿供給口側から目視した状態を示す斜視図である。
【図３】本発明に係る用紙自動送り装置の一実施形態を示す側面視の断面図であり、コロ支持体が退避位置に位置設定されているとともに、ストッパが用紙当止位置に位置設定された状態を示している。
【図４】本発明に係る用紙自動送り装置の一実施形態を示す側面視の断面図であり、コロ支持体が給紙位置に位置設定されているとともに、ストッパが用紙当止位置で回動自在とされた状態を示している。
【図５】本発明に係る用紙自動送り装置の一実施形態を示す側面視の断面図であり、コロ支持体が給紙位置に位置設定されているとともに、ストッパが用紙遣過し位置に位置設定された状態を示している。
【図６】本発明に係る用紙自動送り装置の一実施形態を示す側面視の断面図であり、コロ支持体が退避位置に位置設定されているとともに、ストッパが用紙回避位置に位置設定された状態をそれぞれ示している。
【図７】給紙部材の一実施形態を示す斜視図であり、給紙部材を斜め上方から見た状態を示している。
【図８】給紙部材の一実施形態を示す斜視図であり、給紙部材を斜め下方から見た状態を示している。
【図９】用紙自動送り装置のギヤ機構の一実施形態を説明するための模式化された側面視の説明図である。
【符号の説明】
１０  複写機                １１  複写機本体
１１ａ  排紙口              １１ｂ  操作パネル
１１ｃ  スタートボタン
１２  原稿読取装置          １３  基台
１４  原稿読取部            １４ａ  原稿供給口
１４ｂ  原稿排出口          １４ｃ  円弧状案内空間
１４ｄ  排出通路            １５  側板
１６  カバー体              １７  原稿供給トレイ
１８  排出原稿トレイ        ２０  用紙自動送り装置
２１  送り装置本体          ２２  原稿先端受け部
２２ａ  原稿載置板          ２２ｂ  縦板
２２ｃ  傾斜部              ２３  内方案内体
２３ａ  傾斜案内部          ２３ｂ  円弧状案内部
２４  外方案内体            ２５  摺接体
２６  ガイド板              ２７  レジストコロ
２８１  第１遊びコロ        ２８１ａ  第１遊びコロ軸
２８１ｂ  付勢手段          ２８２  第２遊びコロ
２８２ａ  第２遊びコロ軸    ２８３  排出コロ
２９１  第１ペーパーガイド  ２９２  第２ペーパーガイド
３０  給紙部材              ３１  支持体
３１ａ  天板                ３１ｂ  側板
３２  給紙コロ              ３３  ピックアップコロ
３４  ギヤ                  ３４ａ  給紙コロ用ギヤ
３４ｂ  ピックアップコロ用ギヤ
３４ｃ  中間ギヤ            ３５  長尺軸（給紙軸）
３６  短尺軸（繰出軸）      ３７  ワンウエイクラッチ
３８  コイルスプリング      ４０  ストッパ
４１  装着筒                ４２  ストッパ片
４３  係合片                ４４  十字軸（支持軸）
５０  ギヤ機構              ５１  駆動ギヤ
５２  中央ギヤ              ５２ａ  中央ギヤ軸
５３  第１介設ギヤ          ５３ａ  第１介設ギヤ軸
５４  第２介設ギヤ          ５５  レジストギヤ
５５ａ  レジストギヤ軸      ５６  ワンウエイクラッチ
６０  突起部                ６１  第１傾斜面
６２  第２傾斜面            ７０  駆動モータ
７１  駆動軸                ８０  画像読取部
８１  コンタクトガラス      ８２  画像検出センサ
９１  先端検出センサ        ９２  後端検出センサ
９３  原稿存否センサ        Ｐ  原稿（用紙）
【図１】
2004307151.tif 000004
【図２】
2004307151.tif 000005
【図３】
2004307151.tif 000006
【図４】
2004307151.tif 000007
【図５】
2004307151.tif 000008
【図６】
2004307151.tif 000009
【図７】
2004307151.tif 000010
【図８】
2004307151.tif 000011
【図９】
2004307151.tif 000012